【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
複数の画像を圧縮・符号化し、記録媒体に記録する手段、またはその手段を含む画像記録装置または画像記録システムであって、
映像信号源から１フレーム以上の画像を取り込みデジタル画像データに変換して出力する画像入力手段を少なくとも２系統有し、
２系統の該画像入力手段が出力するデジタル画像データを、１系統のデジタル画像データの後に他の１系統のデジタル画像データとなるように順番を調停する画像入力調停手段を有し、
該画像入力手段のうちの１系統の手段はリアルタイム画像が入力され、
画像入力手段のうちの他の１系統の手段からのデジタル画像データを該画像入力調停手段が処理している時間分の該リアルタイム画像を一時保持するメモリ手段を有し、該デジタル画像データを圧縮・符号化する画像エンコード手段を有し、
該画像エンコード手段は圧縮・符号化処理をリアルタイム動作に近づけるために処理速度を変えることを特徴とする、画像記録装置または画像記録システム。
【請求項２】
請求項１に記載の画像記録装置または画像記録システムであって、
前記画像入力手段のうちの１系統の手段はナビゲーションシステムもしくは地図画像を出力する手段からの画像を取り込み、他のうちの１系統の手段はユーザが撮影した画像を取り込み、
前記画像入力調停手段は、ナビゲーションシステムもしくは地図画像を出力する手段からの画像を取り込む系統の画像を先頭の1フレーム目、ユーザが撮影した画像を取り込む系統の画像を２フレーム目以降とするように画像データの順番を調停し、
前記画像エンコード手段は該画像データの1フレーム目、および２フレーム目をその画面内の情報のみを用いて圧縮・符号化を行い、３フレーム目以降はその画面内もしくは他画面の情報を用いて圧縮・符号化を行うことを特徴とする画像記録装置または画像記録システム。
【請求項３】
複数の画像を圧縮・符号化し、記録媒体に記録する手段、またはその手段を含む画像記録装置または画像記録システムであって、
映像信号源から１フレーム以上の画像を取り込みデジタル画像データに変換して出力する画像入力手段を少なくとも２系統有し、
２系統の該画像入力手段が出力するデジタル画像データを、１系統のデジタル画像データの後に他の１系統のデジタル画像データとなるように順番を調停する画像入力調停手段を有し、
該画像入力手段のうちの１系統の手段はリアルタイム画像が入力されることを特徴とし、
画像入力手段のうちの他の１系統の手段からのデジタル画像データを該画像入力調停手段が処理している時間分の該リアルタイム画像を一時保持するメモリ手段を有し、
該デジタル画像データを圧縮・符号化する画像エンコード手段を有し、
記録媒体に記録された圧縮画像データを読み出し、ユーザによって設定された所定のタイミングで該圧縮画像データをパケット化してネットワークに送出する送出手段を有する、
ことを特徴とする、画像記録装置または画像記録システム。
【請求項４】
複数の画像を圧縮・符号化し、記録媒体に記録する手段、またはその手段を含む画像記録装置または画像記録システムであって、
映像信号源から１フレーム以上の画像を取り込みデジタル画像データに変換して出力する画像入力手段を少なくとも２系統有し、
２系統の該画像入力手段が出力するデジタル画像データを、１系統のデジタル画像データの後に他の１系統のデジタル画像データとなるように順番を調停する画像入力調停手段を有し、
該画像入力手段のうちの１系統の手段はリアルタイム画像が入力され、
該画像入力調停手段は、画像入力手段のうちの他の１系統の手段からのデジタル画像データを該画像入力調停手段が処理している時間分の該リアルタイム画像は処理せず、
該デジタル画像データを圧縮・符号化する画像エンコード手段を有する、
ことを特徴とする、画像記録装置または画像記録システム。
【請求項５】
請求項4に記載の画像記録装置または画像記録システムであって、
前記画像入力手段のうちの１系統の手段はナビゲーションシステムもしくは地図画像を出力する手段からの画像を取り込み、他のうちの１系統の手段はユーザが撮影した画像を取り込み、
前記画像入力調停手段は、ナビゲーションシステムもしくは地図画像を出力する手段からの画像を取り込む系統の画像を先頭の1フレーム目、ユーザが撮影した画像を取り込む系統の画像を２フレーム目以降とするように画像データの順番を調停すること、およびナビゲーションシステムもしくは地図画像を出力する手段からの画像を取り込む系統の画像の処理を行う時間、ユーザが撮影した画像を取り込む系統の画像を取り込まずに、ナビゲーションシステムもしくは地図画像を出力する手段からの画像を取り込む系統の画像の処理が終了してから、ユーザが撮影した画像を取り込む系統の画像の取り込みを開始し、
該画像データの1フレーム目、および２フレーム目をその画面内の情報のみを用いて圧縮・符号化を行い、３フレーム目以降はその画面内もしくは他画面の情報を用いて圧縮・符号化を行う画像エンコード手段を有することを特徴とする画像記録装置または画像記録システム。
【請求項６】
請求項２または５いずれか一項に記載の画像記録装置または画像記録システムであって、
前記画像エンコード手段は、ナビゲーションシステムもしくは地図画像を出力する手段からの画像を取り込む系統の画像と、ユーザが撮影した画像を取り込む系統の画像のデータの間に、再生時に一時停止させるためのコマンドデータを挿入することを特徴とする画像記録装置または画像記録システム。
【請求項７】
複数の画像を圧縮・符号化し、記録媒体に記録する手段、またはその手段を含む画像記録装置または画像記録システムであって、
映像信号源から１フレーム以上の画像を取り込みデジタル画像データに変換して出力する画像入力手段を少なくとも２系統有し、
２系統の該画像入力手段が出力するデジタル画像データを、１系統のデジタル画像データの後に他の１系統のデジタル画像データとなるように順番を調停する画像入力調停手段を有し、
音声信号源から音声を取り込みデジタル音声データに変換して出力する音声入力手段を、少なくとも２系統有し、
２系統の該音声入力手段が出力するデジタル音声データを、１系統のデジタル音声データの後に他の１系統のデジタル音声データとなるように順番を調停する音声入力調停手段を有し、
該画像入力手段のうちの１系統の手段はリアルタイム画像が入力され、
画像入力手段のうちの他の１系統の手段からのデジタル画像データを該画像入力調停手段が処理している時間分の該リアルタイム画像を一時保持するメモリ手段を有し、
該デジタル画像データを圧縮・符号化する画像エンコード手段を有し、
該画像エンコード手段は圧縮・符号化処理をリアルタイム動作に近づけるために処理速度を変え、
該音声入力手段のうちの１系統の手段はリアルタイム音声が入力され、音声入力手段のうちの他の１系統の手段からのデジタル音声データを該音声入力調停手段が処理している時間分の該リアルタイム音声を一時保持するメモリ手段を有し、
該デジタル音声データを圧縮・符号化する音声エンコード手段を有し、該音声エンコード手段は圧縮・符号化処理をリアルタイム動作に近づけるために処理速度を変えることを特徴とする画像記録装置または画像記録システム。
【請求項８】
請求項7に記載の画像記録装置または画像記録システムであって、
前記画像入力手段のうちの１系統の手段はナビゲーションシステムもしくは地図画像を出力する手段からの画像をあらかじめユーザが設定した一定時間分だけ取り込み、他のうちの１系統の手段はユーザが撮影した画像を取り込み、
前記画像入力調停手段は、２系統の該画像入力部が出力するデジタル画像データを調停し、ナビゲーションシステムもしくは地図画像を出力する手段からの画像を取り込む系統のデジタル画像データを先頭の該一定時間分のフレームに、ユーザが撮影した画像を取り込む系統のデジタル画像データを該一定時間分のフレームの次フレーム以降とするようにデジタル画像データの順番を調停し、
前記画像入力調停手段がナビゲーションシステムもしくは地図画像を出力する手段からの画像を取り込む系統のデジタル画像データの処理を行う時間、ユーザが撮影した画像を取り込む系統のデジタル画像データをバッファリングする画像メモリ手段を有し、
前記音声入力手段のうちの１系統の手段はナビゲーションシステムもしくは位置に関する音声を出力する手段からの音声をあらかじめユーザが設定した一定時間分だけ取り込み、他のうちの１系統はユーザが録音対象とした音声を取り込み、
前記音声入力調停手段は、２系統の該音声入力部が出力するデジタル音声データを調停し、ナビゲーションシステムもしくは位置に関する音声を出力する手段からの音声を取り込む系統のデジタル音声データを先頭の該一定時間分の音声データに、ユーザが録音対象とした音声を取り込む系統の音声を該一定時間分の音声データの続きとするように該デジタル音声データの順番を調停し、
前記音声入力調停手段がナビゲーションシステムもしくは位置に関する音声を出力する手段からの音声を取り込む系統のデジタル音声データの処理を行う時間、ユーザが録音対象とした音声を取り込む系統のデジタル音声データをバッファリングする音声メモリ手段を有し、
該ナビゲーションシステムもしくは位置に関する音声を出力する手段が音声を出力する契機となる信号を出力する音声起動手段を有することを特徴とする画像記録装置または画像記録システム。
【請求項９】
複数の画像を圧縮・符号化し、記録媒体に記録する手段、またはその手段を含む画像記録装置または画像記録システムであって、
映像信号源から１フレーム以上の画像を取り込みデジタル画像データに変換して出力する画像入力手段を少なくとも２系統有し、
２系統の該画像入力手段が出力するデジタル画像データを、１系統のデジタル画像データの後に他の１系統のデジタル画像データとなるように順番を調停する画像入力調停手段を有し、
音声信号源から音声を取り込みデジタル音声データに変換して出力する音声入力手段を、少なくとも２系統有し、
２系統の該音声入力手段が出力するデジタル音声データを、１系統のデジタル音声データの後に他の１系統のデジタル音声データとなるように順番を調停する音声入力調停手段を有し、
該画像入力手段のうちの１系統の手段はリアルタイム画像が入力され、該画像入力調停手段は、画像入力手段のうちの他の１系統の手段からのデジタル画像データを該画像入力調停手段が処理している時間分の該リアルタイム画像は処理せず、
該デジタル画像データを圧縮・符号化する画像エンコード手段を有し、
該音声入力手段のうちの１系統の手段はリアルタイム音声が入力され、
該音声入力調停手段は、音声入力手段のうちの他の１系統の手段からのデジタル音声データを該音声入力調停手段が処理している時間分の該リアルタイム音声は処理せず、
該デジタル音声データを圧縮・符号化する音声エンコード手段を有することを特徴とする、画像記録装置または画像記録システム。
【請求項１０】
請求項９に記載の画像記録装置または画像記録システムであって、
前記画像入力手段のうちの１系統の手段はナビゲーションシステムもしくは地図画像を出力する手段からの画像をあらかじめユーザが設定した一定時間分だけ取り込み、他のうちの１系統の手段はユーザが撮影した画像を取り込み、
前記画像入力調停手段は、２系統の該画像入力部が出力するデジタル画像データを調停し、ナビゲーションシステムもしくは地図画像を出力する手段からの画像を取り込む系統の画像を先頭の該一定時間分のフレームに、ユーザが撮影した画像を取り込む系統の画像を該一定時間分のフレームの次フレーム以降とするように画像データの順番を調停すること、およびナビゲーションシステムもしくは地図画像を出力する手段からの画像を取り込む系統の画像の処理を行う時間、ユーザが撮影した画像を取り込む系統の画像を取り込まずに、ナビゲーションシステムもしくは地図画像を出力する手段からの画像を取り込む系統の画像の処理が終了してから、ユーザが撮影した画像を取り込む系統の画像の取り込みを開始し、
前記音声入力手段のうちの１系統の手段はナビゲーションシステムもしくは位置に関する音声を出力する手段からの音声をあらかじめユーザが設定した一定時間分だけ取り込み、他のうちの１系統はユーザが録音対象とした音声を取り込み、
前記音声入力調停手段は、２系統の該音声入力部が出力するデジタル音声データを調停し、ナビゲーションシステムもしくは位置に関する音声を出力する手段からの音声を取り込む系統の音声データを先頭の該一定時間分の音声データに、ユーザが録音対象とした音声を取り込む系統の音声を該一定時間分の音声データの続きとするように該デジタル音声データの順番を調停すること、およびナビゲーションシステムもしくは位置に関する音声を出力する手段からの音声を取り込む系統のデジタル音声データの処理を行う時間、ユーザが録音対象とした音声を取り込む系統のデジタル音声データを取り込まずに、ナビゲーションシステムもしくは位置に関する音声を出力する手段からの音声を取り込む系統のデジタル音声データの処理が終了してから、ユーザが録音対象とした音声を取り込む系統のデジタル音声データの取り込みを開始し、
該ナビゲーションシステムもしくは位置に関する音声を出力する手段が音声を出力する契機となる信号を出力する音声起動手段を有することを特徴とする画像記録装置または画像記録システム。
【請求項１１】
請求項8または10いずれか一項に記載の画像記録装置または画像記録システムであって、
ナビゲーションシステムもしくは地図画像を出力する手段、および位置に関する音声を出力する手段を含むシステムから、画像および音声の終了通知データを受信し、終了通知を前記画像入力調停部、および前記音声入力調停部に出力する手段と、
前記画像入力部のうちの１系統はナビゲーションシステムもしくは地図画像を出力する手段からの画像を該終了通知が入力されるまで取り込み、他のうちの１系統はユーザが撮影した画像を取り込み、
前記画像入力調停手段は、２系統の該画像入力部が出力するデジタルデータを調停し、ナビゲーションシステムもしくは地図画像を出力する手段からの画像を取り込む系統の画像を先頭の該終了通知が入力されるまでの分のフレームに、ユーザが撮影した画像を取り込む系統の画像を該終了通知が入力されるまでの分のフレームの次フレーム以降とするようにデジタル画像データの順番を調停し、
前記音声入力手段のうちの１系統はナビゲーションシステムもしくは位置に関する音声を出力する手段からの音声を該終了通知が入力されるまで取り込み、他のうちの１系統はユーザが録音対象とした音声を取り込み、
前記音声入力調停手段は、２系統の該音声入力部が出力するデジタルデータを調停し、ナビゲーションシステムもしくは位置に関する音声を出力する手段からの音声を取り込む系統のデジタル音声データを先頭の該終了通知が入力されるまでの分の音声データに、ユーザが録音対象とした音声を取り込む系統の音声を該終了通知が入力されるまでの分のデジタル音声データの続きとするように音声データの順番を調停し、
該ナビゲーションシステムもしくは位置に関する音声を出力する手段が音声を出力する契機となる信号を出力する音声起動部を有することを特徴とする画像記録装置または画像記録システム。
【請求項１２】
請求項１乃至11いずれか一項に記載の画像記録装置または画像記録システムであって、
無線通信でインターネットにアクセス可能なエリアに入ったことを検知し、記録している画像データを読み出すようデータ読み出し部に指示し、データ読み出し部から記録した画像データを受け取り、無線通信でインターネット上のサーバに画像データをアップロードする無線通信手段を有することを特徴とする画像記録装置または画像記録システム。
【請求項１３】
請求項１乃至11いずれか一項に記載の画像記録装置または画像記録システムであって、
前記画像エンコード部および前記音声エンコード部がそれぞれ出力する、圧縮・符号化したデータを多重化するデータ生成手段を有し、該データ生成手段はナビゲーションシステムもしくは地図画像を出力する手段、および位置に関する音声を出力する手段を含むシステムから出力される位置に関するデータを、該多重化したデータと関連付けて記録媒体に記録するデータを生成することを特徴とする画像記録装置または画像記録システム。
【請求項１４】
請求項１乃至11いずれか一項に記載の画像記録装置または画像記録システムであって、
前記画像入力手段はユーザが撮影開始の操作を起点として動作を開始することを特徴とする画像記録装置または画像記録システム。
【請求項１５】
請求項１乃至11いずれか一項に記載の画像記録装置または画像記録システムであって、
前記画像入力手段はナビゲーションシステムもしくは地図画像を出力する手段、および位置に関する音声を出力する手段を含むシステムより出力される動作開始指示を起点として動作を開始することを特徴とする画像記録装置または画像記録システム。
【請求項１６】
記録媒体に記録されている画像データを伸張・復号化して再生する手段、またはその手段を含む画像再生装置または画像再生システムであって、
再生する画像データのうち、連続する２つのフレームでは、それぞれの画面内の情報のみを用いて圧縮・符号化が行われている画像データの再生を行う場合、該連続する２つのフレームのうちの始めのフレームを再生したらあらかじめユーザが設定した一定時間同じフレームの再生を行い、その後次のフレームの再生を行う手段を有することを特徴とする画像再生装置または画像再生システム。
【請求項１７】
記録媒体に記録されている画像データを伸張・復号化して再生する手段、またはその手段を含む画像再生装置または画像再生システムであって、
再生する画像データのうち、連続する２つのフレームでは、それぞれの画面内の情報のみを用いて圧縮・符号化が行われている画像データの再生を行う場合、該連続する２つのフレームのうちの始めのフレームを再生したらユーザが再開指示を行うまで同じフレームの再生を行い、ユーザが再開指示を行ったら次のフレームの再生を行う手段を有することを特徴とする画像再生装置または画像再生システム。
【請求項１８】
請求項16または17いずれか一項に記載の画像再生装置または画像再生システムであって、
再生する画像データに関連付けされた位置に関する情報を使用して、サムネール画面を形成・描画する手段を有することを特徴とする画像再生装置または画像再生システム。
【請求項１９】
複数の画像を圧縮・符号化し、記録媒体に記録する画像記録方法において、
映像信号源から１フレーム以上の画像を取り込みデジタル画像データに変換して出力する画像入力手段を少なくとも２系統有し、
２系統の該画像入力手段が出力するデジタル画像データを、１系統のデジタル画像データの後に他の１系統のデジタル画像データとなるように順番を調停する画像入力調停手段を有し、
該画像入力手段のうちの１系統の手段はリアルタイム画像が入力され、
画像入力手段のうちの他の１系統の手段からのデジタル画像データを該画像入力調停手段が処理している時間分の該リアルタイム画像を一時保持するメモリ手段を有し、
該デジタル画像データを圧縮・符号化する画像エンコード手段を有し、
該画像エンコード手段は圧縮・符号化処理をリアルタイム動作に近づけるために処理速度を変えることを特徴とする、画像記録方法。
【請求項２０】
複数の画像を圧縮・符号化し、記録媒体に記録する画像記録方法において、
映像信号源から１フレーム以上の画像を取り込みデジタル画像データに変換して出力する画像入力手段を少なくとも２系統有し、
２系統の該画像入力手段が出力するデジタル画像データを、１系統のデジタル画像データの後に他の１系統のデジタル画像データとなるように順番を調停する画像入力調停手段を有し、
該画像入力手段のうちの１系統の手段はリアルタイム画像が入力され、
該画像入力調停手段は、画像入力手段のうちの他の１系統の手段からのデジタル画像データを該画像入力調停手段が処理している時間分の該リアルタイム画像は処理せず、
該デジタル画像データを圧縮・符号化する画像エンコード手段を有する、
ことを特徴とする、画像記録方法。
【請求項２１】
複数の画像を圧縮・符号化し、記録媒体に記録する画像記録方法において、
映像信号源から１フレーム以上の画像を取り込みデジタル画像データに変換して出力する画像入力手段を少なくとも２系統有し、
２系統の該画像入力手段が出力するデジタル画像データを、１系統のデジタル画像データの後に他の１系統のデジタル画像データとなるように順番を調停する画像入力調停手段を有し、
該画像入力手段のうちの１系統の手段はリアルタイム画像が入力されることを特徴とし、
画像入力手段のうちの他の１系統の手段からのデジタル画像データを該画像入力調停手段が処理している時間分の該リアルタイム画像を一時保持するメモリ手段を有し、
該デジタル画像データを圧縮・符号化する画像エンコード手段を有し、
記録媒体に記録された圧縮画像データを読み出し、ユーザによって設定された所定のタイミングで該圧縮画像データをパケット化してネットワークに送出する送出手段を有する、
ことを特徴とする、画像記録方法。
【請求項２２】
複数の画像を圧縮・符号化し、記録媒体に記録する画像記録方法であって、
映像信号源から１フレーム以上の画像を取り込みデジタル画像データに変換して出力する画像入力手段を少なくとも２系統有し、
２系統の該画像入力手段が出力するデジタル画像データを、１系統のデジタル画像データの後に他の１系統のデジタル画像データとなるように順番を調停する画像入力調停手段を有し、
音声信号源から音声を取り込みデジタル音声データに変換して出力する音声入力手段を、少なくとも２系統有し、
２系統の該音声入力手段が出力するデジタル音声データを、１系統のデジタル音声データの後に他の１系統のデジタル音声データとなるように順番を調停する音声入力調停手段を有し、
該画像入力手段のうちの１系統の手段はリアルタイム画像が入力され、
画像入力手段のうちの他の１系統の手段からのデジタル画像データを該画像入力調停手段が処理している時間分の該リアルタイム画像を一時保持するメモリ手段を有し、
該デジタル画像データを圧縮・符号化する画像エンコード手段を有し、
該画像エンコード手段は圧縮・符号化処理をリアルタイム動作に近づけるために処理速度を変え、
該音声入力手段のうちの１系統の手段はリアルタイム音声が入力され、
音声入力手段のうちの他の１系統の手段からのデジタル音声データを該音声入力調停手段が処理している時間分の該リアルタイム音声を一時保持するメモリ手段を有し、
該デジタル音声データを圧縮・符号化する音声エンコード手段を有し、
該音声エンコード手段は圧縮・符号化処理をリアルタイム動作に近づけるために処理速度を変えることを特徴とする画像記録方法。
【請求項２３】
複数の画像を圧縮・符号化し、記録媒体に記録する画像記録方法であって、
映像信号源から１フレーム以上の画像を取り込みデジタル画像データに変換して出力する画像入力手段を少なくとも２系統有し、
２系統の該画像入力手段が出力するデジタル画像データを、１系統のデジタル画像データの後に他の１系統のデジタル画像データとなるように順番を調停する画像入力調停手段を有し、
音声信号源から音声を取り込みデジタル音声データに変換して出力する音声入力手段を、少なくとも２系統有し、
２系統の該音声入力手段が出力するデジタル音声データを、１系統のデジタル音声データの後に他の１系統のデジタル音声データとなるように順番を調停する音声入力調停手段を有し、
該画像入力手段のうちの１系統の手段はリアルタイム画像が入力され、
該画像入力調停手段は、画像入力手段のうちの他の１系統の手段からのデジタル画像データを該画像入力調停手段が処理している時間分の該リアルタイム画像は処理せず、
該デジタル画像データを圧縮・符号化する画像エンコード手段を有し、
該音声入力手段のうちの１系統の手段はリアルタイム音声が入力され、
該音声入力調停手段は、音声入力手段のうちの他の１系統の手段からのデジタル音声データを該音声入力調停手段が処理している時間分の該リアルタイム音声は処理せず、
該デジタル音声データを圧縮・符号化する音声エンコード手段を有することを特徴とする画像記録方法。
【請求項２４】
記録媒体に記録されている画像データを伸張・復号化して再生する画像再生方法であって、
再生する画像データのうち、連続する２つのフレームでは、それぞれの画面内の情報のみを用いて圧縮・符号化が行われている画像データの再生を行う場合、該連続する２つのフレームのうちの始めのフレームを再生したらあらかじめユーザが設定した一定時間同じフレームの再生を行い、その後次のフレームの再生を行う手段を有することを特徴とする画像再生方法。
【請求項２５】
記録媒体に記録されている画像データを伸張・復号化して再生する画像再生方法であって、
再生する画像データのうち、連続する２つのフレームでは、それぞれの画面内の情報のみを用いて圧縮・符号化が行われている画像データの再生を行う場合、該連続する２つのフレームのうちの始めのフレームを再生したらユーザが再開指示を行うまで同じフレームの再生を行い、ユーザが再開指示を行ったら次のフレームの再生を行う手段を有することを特徴とする画像再生方法。
【請求項２６】
ユーザが撮影した画像データが入力される入力手段と、
前記入力手段により入力された画像データに、前記撮影がされた位置に対応する地図に関する情報を付加する付加手段と、
前記付加手段により地図に関する情報が付加された画像データを出力する出力手段と、
を備えることを特徴とした画像処理装置。